(57)【要約】【課題】  ＳＩＰサーバー毎の方路を交換機側で意識する必要がないＶｏＩＰ−ＧＷを提供する。【解決手段】  非ＩＰ網側とＩＰ網の間に設けるＶｏＩＰ−ＧＷ装置１において、ＩＰ網側インタフェース１１と、ＩＰ網側のＳＩＰサーバーとの通信を制御するＳＩＰ制御部１４と、非ＩＰ網側インタフェース１２と、非ＩＰ網側との通信を制御するＲＴＰ制御部１６と、装置全体の動作を制御するとともに着番号とＳＩＰサーバーとの対応を記述したＳＩＰルート振り分けテーブルを有する主制御部１３と、インタフェース１１とＳＩＰ制御部１４とインタフェース１２とＲＴＰ制御部１６と主制御部１３との間の相互の接続を切替える内部スイッチ制御部１５とを備え、非ＩＰ網側からＳＩＰサーバーに対する接続要求に記述された着番号内の業者識別番号に基づいて、ＳＩＰルート振り分けテーブルを参照してＳＩＰサーバーへのルートを決定する。【選択図】      図２
2006229550.tif 000002
【特許請求の範囲】
【請求項１】
非ＩＰ通信網とＩＰ通信網の間の音声通信を変換するＶｏＩＰ−ＧＷ（Ｖｏｉｃｅ  Ｏｖｅｒ  Ｉｎｔｅｒｎｅｔ  Ｐｒｏｔｏｃｏｌ  Ｇａｔｅ  Ｗａｙ）装置において、
ＩＰ通信網側のインタフェースと、
ＩＰ通信網側に設置されたＳＩＰサーバーとの通信を制御するＳＩＰ制御部と、
非ＩＰ通信網側の複数のインタフェースと、
非ＩＰ通信側との通信を制御する複数のＲＴＰ制御部と、
装置全体の動作を制御するとともに、ＩＰ通信網側の着番号とＳＩＰサーバーとの対応を記述したＳＩＰルート振り分けテーブルを有する主制御部と、
ＩＰ通信網側のインタフェースとＳＩＰ制御部と非ＩＰ通信網側のインタフェースとＲＴＰ制御部と主制御部との間の相互の接続を切替える内部スイッチを制御する内部スイッチ制御部と、
を備え、
非ＩＰ通信網側からのＳＩＰサーバーに対する接続要求があったときに、接続要求に記述された着番号の業者識別番号に基づいて、ＳＩＰルート振り分けテーブルを参照してＳＩＰサーバーへのルートを決定する
ことを特徴とするＶｏＩＰ―ＧＷ装置。
【請求項２】
請求項１記載のＶｏＩＰ―ＧＷ装置において、
主制御部にＳＩＰサーバー単位で使用するチャネルの最低保証チャネル数と最大通信チャネル数を記述したチャネル管理テーブルを備え、
ＳＩＰサーバーへの接続要求があったときに、ＳＩＰサーバーのルートの現在の使用状況と最低保証チャネル数および最大通信チャネル数とからＳＩＰサーバーへの着信の可否を判断する
ことを特徴とするＶｏＩＰ―ＧＷ装置。
【請求項３】
非ＩＰ通信網とＩＰ通信網の間の音声通信を変換するＶｏＩＰ−ＧＷ（Ｖｏｉｃｅ  Ｏｖｅｒ  Ｉｎｔｅｒｎｅｔ  Ｐｒｏｔｏｃｏｌ  Ｇａｔｅ  Ｗａｙ）装置において、
ＩＰ通信網側のインタフェースと、
ＩＰ通信網側に設置されたＳＩＰサーバーとの通信を制御するＳＩＰ制御部と、
非ＩＰ通信網側の複数のインタフェースと、
非ＩＰ通信側との通信を制御する複数のＲＴＰ制御部と、
装置全体の動作を制御するとともに、ＩＰ通信網側の着番号と当該着番号の変換先を記述した着番号変換テーブルを有する主制御部と、
ＩＰ通信網側のインタフェースとＳＩＰ制御部と非ＩＰ通信網側のインタフェースとＲＴＰ制御部と主制御部との間の相互の接続を切替える内部スイッチを制御する内部スイッチ制御部と、
を備え、
ＩＰ通信網側からＩＰ通信網側への接続要求があったときに、接続要求に記述された着番号の業者識別番号に基づいて、着番号変換テーブルを参照して変換後のルートを決定する
ことを特徴とするＶｏＩＰ―ＧＷ装置。
【発明の詳細な説明】
【技術分野】
【０００１】
本発明は、マルチＩＳＰ対応ＶｏＩＰ（Ｖｏｉｃｅ  ｏｎ  ＩＰ）−ＧＷ（Ｇａｔｅｗａｙ：ゲートウェイ）が抱える現実的な問題を回避するためのものである。
【背景技術】
【０００２】
ダイヤル番号の先頭が０５０で始まるＩＰ電話は、一般的なものとなりつつある。ＩＰ電話は、ＩＰ電話事業者の提供サービスであり、Ｅｎｄ−Ｅｎｄの通信を確立するにはＩＳＰ（Ｉｎｔｅｒ−Ｎｅｔ  Ｓｅｒｖｉｃｅ  Ｐｒｏｖｉｄｅｒ）内のサーバー経由で呼制御を実施している。
【０００３】
ＩＰ電話のＩＳＰ内サーバープロトコルの殆んどは、ＳＩＰ（Ｓｅｓｓｉｏｎ  Ｉｎｉｔｉａｔｉｏｎ  Ｐｒｏｔｏｃｏｌ）を採用し、ＳＩＰサーバーを経由した通信となる。ＳＩＰの通信プロトコル自体は、ＲＦＣ３２６１、ＲＦＣ３２６４などにて規格化されたプロトコルではあるが、各ＩＰ電話事業者のＳＩＰサーバーの独自仕様などで完全にプロトコルが統一されているとはいえない状況であり、相互接続にも問題がある。
【０００４】
複数のＩＰ電話事業者対応のＩＰ電話に対応するには、図９に示した、従来のマルチＩＳＰ対応接続構成図にあるように、ＩＰ電話機が収容されるＩＳＰ向け構内交換機（ＰＢＸ）３Ａ〜３Ｃは、それぞれＶｏＩＰ―ＧＷ９Ａ〜９Ｃを経由してメディアコンバータ５に接続され、物理回線５１を経由してインターネット７に接続された各ＳＩＰサーバー７１Ａ〜７１Ｃに接続される。各ＶｏＩＰ―ＧＷ９Ａ〜９Ｃは、それぞれＩＳＰ向けのインタフェース９１Ａ〜９１Ｃを備えている。ＳＩＰサーバー７１Ａ〜７１Ｃ毎にＶｏＩＰ−ＧＷ９Ａ〜９Ｃを準備する必要があり、交換機３Ａ〜３Ｃ側にも番号を元にＧＷルートを選択しなければならなかった。
【０００５】
また、電話機を公衆電話回線とインターネット回路網とに識別信号に応じて切替え接続を行うアダプタを介してインターネット回路網に接続し、インターネット回路網の中に、アダプタを特定する電話番号とこれに対応するＩＰアドレスに対応したデータを持ったゲートキーパー機能を持ったＶｏＩＰサーバーを設け、アダプタを介してインターネットに接続された電話機間での通話を行えるようにすることは、既に提案されている（例えば、特許文献１参照）。
【特許文献１】特開２００３−２６４６４４号公報
【発明の開示】
【発明が解決しようとする課題】
【０００６】
上記従来技術では、交換機側にて番号を元にした方路（ＧＷ）選択が必要であり、また、ＳＩＰサーバー毎にインタフェースを準備しなければならないという問題があった。
【０００７】
本発明は、ＳＩＰサーバー毎の方路を交換機側で意識する必要がないＶｏＩＰ−ＧＷを提供することを目的とする。さらに、本発明は、ＳＩＰサーバー毎にインタフェースを準備する必要がなく、インタフェースチャネル不足によるビジーの発生を減少させることができるＶｏＩＰ−ＧＷを提供することを目的とする。
【課題を解決するための手段】
【０００８】
上記目的を達成するために、本発明は、各ＩＳＰから割り振られるグローバルＩＰアドレス毎にＳＩＰのプロトコルを終端制御し、従来の音声インタフェース（非ＩＰインタフェース）制御を含め、装置全体を制御することによって課題を解決する。
【０００９】
すなわち、本発明は、非ＩＰ通信網とＩＰ通信網の間の音声通信を変換するＶｏＩＰ−ＧＷ装置において、ＩＰ通信網側のインタフェースと、ＩＰ通信網側に設置されたＳＩＰサーバーとの通信を制御するＳＩＰ制御部と、非ＩＰ通信網側の複数のインタフェースと、非ＩＰ通信側との通信を制御する複数のＲＴＰ制御部と、装置全体の動作を制御するとともに、ＩＰ通信網側の着番号とＳＩＰサーバーとの対応を記述したＳＩＰルート振り分けテーブルを有する主制御部と、ＩＰ通信網側のインタフェースとＳＩＰ制御部と非ＩＰ通信網側のインタフェースとＲＴＰ制御部と主制御部との間の相互の接続を切替える内部スイッチを制御する内部スイッチ制御部と、を備え、非ＩＰ通信網側からのＳＩＰサーバーに対する接続要求があったときに、接続要求に記述された着番号の業者識別番号に基づいて、ＳＩＰルート振り分けテーブルを参照してＳＩＰサーバーへのルートを決定するようにした。
【００１０】
また、本発明は、上記ＶｏＩＰ―ＧＷ装置において、主制御部にＳＩＰサーバー単位で使用するチャネルの最低保証チャネル数と最大通信チャネル数を記述したチャネル管理テーブルを備え、ＳＩＰサーバーへの接続要求があったときに、ＳＩＰサーバーのルートの現在の使用状況と最低保証チャネル数および最大通信チャネル数とからＳＩＰサーバーへの着信の可否を判断するようにした。
【００１１】
さらに、本発明は、非ＩＰ通信網とＩＰ通信網の間の音声通信を変換するＶｏＩＰ−ＧＷ装置において、ＩＰ通信網側のインタフェースと、ＩＰ通信網側に設置されたＳＩＰサーバーとの通信を制御するＳＩＰ制御部と、非ＩＰ通信網側の複数のインタフェースと、非ＩＰ通信側との通信を制御する複数のＲＴＰ制御部と、装置全体の動作を制御するとともに、ＩＰ通信網側の着番号と当該着番号の変換先を記述した着番号変換テーブルを有する主制御部と、ＩＰ通信網側のインタフェースとＳＩＰ制御部と非ＩＰ通信網側のインタフェースとＲＴＰ制御部と主制御部との間の相互の接続を切替える内部スイッチを制御する内部スイッチ制御部と、を備え、ＩＰ通信網側からＩＰ通信網側への接続要求があったときに、接続要求に記述された着番号の業者識別番号に基づいて、着番号変換テーブルを参照して変換後のルートを決定するようにした。
【発明の効果】
【００１２】
本発明によれば、ＰＢＸ側のインタフェースを最小限に控えることができ、システムコストを控えることが可能であるまた、ＶｏＩＰ−ＧＷの物理的な台数を削減できるため管理コスト保守コストの削減にもつながる。さらに、本発明によれば、物理的・コスト的な制約に基づくインタフェース不足によるビジー発生を減少させることが可能となる。
【発明を実施するための最良の形態】
【００１３】
以下、本発明の実施例を説明する。図１を用いて、本発明にかかるＶｏＩＰ―ＧＷを用いたマルチＩＳＰ対応接続構成を説明する。本発明にかかるＶｏＩＰ―ＧＷ１は、ＩＰ電話が接続されるＰＢＸ３Ａ〜３Ｃに接続されるとともに、メディアコンバータ５および物理回線５１を介してインターネット７に接続されたＳＩＰサーバー７１Ａ〜７１Ｃに接続される。
【００１４】
本発明にかかるＶｏＩＰ−ＧＷ１の詳細な構成を図２を用いて説明する。ＶｏＩＰ−ＧＷ１は、複数のインターネット側インタフェース１１Ａ〜１１Ｃと、複数のＰＢＸ側インタフェース１２Ａ〜１２Ｃと、主制御部１３と、複数のＳＩＰ制御部１４Ａ〜１４Ｃと、内部スイッチ制御部１５と、複数のＲＴＰ制御部１６Ａ〜１６Ｃとを有している。
【００１５】
インターネット側インタフェース１１は、インターネット側の物理インタフェースである。インターネット側インタフェース１１は、わかりやすいように３本のインタフェースにて表示しているが、インターネット側のインタフェースの殆んどはＩＥＥＥ８０２．３が用いられているため、物理的な外部インタフェースは一つでもよい。
【００１６】
ＰＢＸ側インタフェース１２は、ＰＢＸ側の呼制御メッセージおよび信号の解析と作成を行うインタフェースであり、接続または切断の最終的な判断は、主制御部が決定する。ＰＢＸ側のインタフェース１２は、例としてＰＢＸインタフェースとしているがＰＢＸに限定されるものではなく、ＰＳＴＮ（Ｐｕｂｌｉｃ  Ｓｗｉｔｃｈｅｄ  Ｔｅｌｅｐｈｏｎｅ  Ｎｅｔｗｏｒｋｓ）を含む非ＩＰ通信全般を示す。
【００１７】
主制御部１３は、内部スイッチ制御部１５を経由して、各制御部の制御を実施する制御部である。すなわち、主制御部１３は、各制御部からの情報を元に装置全体を制御する制御部であって、ＰＢＸ側の発着信制御、内部スイッチのスイッチング動作指示、インターネット側の発着信制御などを行う。
【００１８】
ＳＩＰ制御部１４は、インターネット側子制御メッセージの解析および作成を行う手段であり、接続または切断の最終判断は主制御部１３が行う。ＳＩＰ制御部１４は、ＳＩＰサーバー（ＩＳＰ）毎にＳＩＰのプロトコルを終端可能な制御部であり、ＩＰアドレスはＩＳＰから割り振られたグローバルＩＰアドレスを使用する。この例では３つのＳＩＰ制御部で説明しているが、このＳＩＰ制御部はマルチ接続数分が必要となる。また、説明上ＳＩＰ制御部としているが、プロトコルはＳＩＰに限定されたものではなく、広義での呼制御部を示す。
【００１９】
内部スイッチ制御部１５は、主制御部１３と各制御部１４、１６との制御通信を行う制御部であり、ＲＴＰデータを含む通信のＴＣＰ／ＩＰデータのレイヤ２、レイヤ３ヘッダ変換およびスイッチング機能を有する。さらに、内部スイッチ制御部１５は、内部スイッチの動作を制御し、ＶｏＩＰ−ＧＷ１内での制御用メッセージの伝達、主制御部１３からの指示でスイッチング方法が決定される音声通信用ＲＴＰパケット（ＩＰパケット）のスイッチング伝達、主制御部１３からの指示でスイッチング方法が決定されるインターネット側子制御メッセージ（ＩＰパケット）のスイッチング伝達などを行う。
【００２０】
ＲＴＰ（Ｒｅａｌ−ｔｉｍｅ  Ｔｒａｎｓｐｏｒｔ  Ｐｒｏｔｏｃｏｌ）制御部１６は、非ＩＰ通信からＩＰ通信への変換を行う制御部であり、ＰＣＭデータとＲＴＰ（ＩＰパケット化された音声）データとの間でデコードまたはエンコード変換処理を行う手段である。
【００２１】
主制御部１３は、図３に示すＰＢＸ側インタフェース１２からの着番号によるＳＩＰルート振り分けテーブルと、図４に示すＳＩＰサーバー単位のチャネル管理テーブル１３２（ＰＢＸ側のチャネル合計が６０Ｃｈの例）と、インターネット側からの着信に対する番号変換テーブル１３３を備えている。
【００２２】
ＰＢＸ側インタフェースからの着番号によるＳＩＰルート振り分けテーブル１３１は、着番号と、ＳＩＰサーバー７１へのルートを対応付けたテーブルであり、ＰＢＸ側インタフェース１２で受けた接続要求から抽出した着番号に対応したＳＩＰサーバーへのルートを主制御部１３が選択する場合に参照する。
【００２３】
ＳＩＰサーバー単位のチャネル管理テーブル１３２は、各ＳＩＰサーバー毎に最低保証チャネル数と最大通信チャネル数を記述したテーブルである。
【００２４】
インターネット側からの着信に対する着番号変換テーブル１３３は、インターネット側からの着番号を他のルートの着番号に変換する変換着番号を記述したテーブルである。
【００２５】
０５０ではじまる番号は、ＳＩＰルート振り分けテーブル１３１に示すように、その次の４桁で示す事業者識別コード（たとえば、ＡＢＣＤ，ＥＦＧＨ，ＩＪＫＬなど）によって通信先（着信先）のＳＩＰサーバー（ＩＳＰ）を認識できるので、ＳＩＰルート振り分けテーブル１３１を参照すれば、ＳＩＰサーバールートを特定することが可能であり、ＳＩＰサーバー（ＩＳＰ）毎にＶｏＩＰ−ＧＷおよび交換機側のインタフェースを準備する必要が無い。
【００２６】
本構成により、ＰＢＸインタフェース側からの発信では、ＰＢＸ側インタフェース１２から、発信イベントおよび着番号が主制御部１３へ渡り、主制御部１３は、ＳＩＰルート振り分けテーブル１３１から発信すべきＳＩＰサーバーのルートを特定する。主制御部１３は、内部スイッチ制御部１５、ＳＩＰ制御部１６、ＲＴＰ制御部１６へ指示を出し、ＶｏＩＰ―ＧＷ１のＳＩＰの呼制御およびＲＴＰ通信のスイッチングを制御する。
【００２７】
図６を用いて、ＰＢＸ側インタフェース１２からの着信によりＳＩＰルートを振り分ける処理を説明する。ＰＢＸ側インタフェース１２ＡがＰＢＸ３Ａから発信信号（着番：０５０−ＡＢＣＤ−ＸＸＸＸ）を受信すると、内部スイッチ制御部１５を経由して主制御部１３へ送信する（Ｓ２）。主制御部１３は、着番号の業者識別コード（ＡＢＣＤ）を用いてＳＩＰルート振り分けテーブル１３１を参照して、ＳＩＰサーバーＡルートを選択して（Ｓ３）、ＳＩＰ制御部１４Ａに発信要求を送信する（Ｓ４）。ＳＩＰ制御部１４Ａは、ＳＩＰサーバーＡ７１Ａに向けてＳＩＰメッセージ（ＩＮＶＩＴＥ）を生成して、内部スイッチ制御部１５を経由してインターネット側インタフェース１１Ａからインターネット７上のＳＩＰサーバー７１Ａに送信する（Ｓ５）。
【００２８】
ＶｏＩＰ−ＧＷ１は、ＳＩＰサーバー７１Ａからインターネット側インタフェース１４Ａを経由して受信したＳＩＰメッセージ接続完了（２００Ｋ）を、内部スイッチ制御部１５を経由してＳＩＰ制御部１４Ａに着信する（Ｓ６）。ＳＩＰ制御部１４Ａは、接続完了を主制御部１３へ送信する（Ｓ７）。主制御部１３は、内部スイッチ制御部１５へスイッチング指示を送出し（Ｓ８）、内部スイッチ制御部１５は、ＲＴＰ制御１６Ａとインターネット側インタフェース１１Ａのスイッチングデータを設定する（Ｓ９）。主制御部１３はこれと同時にＲＴＰ制御部１６Ａに接続完了を通知する（Ｓ１０）とともに、ＰＢＸ側インタフェース１２Ａを経由して接続完了信号を送信する（Ｓ１１）。
【００２９】
ＰＢＸ３Ａ側からＰＢＸ側インタフェース１２Ａを経由してＰＣＭ音声データを受信した（Ｓ１２）ＲＴＰ制御部１６Ａは、ＰＣＭ音声データをＲＴＰ音声データに変換し（Ｓ１３）、ＲＴＰ音声データを内部スイッチ制御部１５を経由して、インターネット側インタフェース１１ＡからＳＩＰサーバー７１Ａへ送信する（Ｓ１４）。
【００３０】
ＳＩＰサーバー７１ＡからＲＴＰ音声データをインターネット側インタフェース１１Ａおよび内部スイッチ制御部１５経由で受信した（Ｓ１５）ＲＴＰ制御部１６Ａは、ＲＴＰ音声データをＰＣＭ音声データに変換し（Ｓ１６）、ＰＣＭ音声データをＰＢＸ側インタフェース１２Ａを経由してＰＢＸ３Ａ側に送信する（Ｓ１７）。
【００３１】
このようにして、ＰＢＸ３側からのＳＩＰサーバー７１Ａに対する接続要求があったときに、ＶｏＩＰ−ＧＷ１のＳＩＰ制御部１４Ａを経由して両者を接続することができるとともに、ＳＩＰサーバー７１Ｂに対する接続要求があったときにも、同様に、ＳＩＰ制御部１４Ｂを経由して両者を接続することができる。
【００３２】
同様に、インターネット側からの着信では、ＳＩＰ制御部１４から着信イベントおよび着番号が主制御部１３へ渡り、主制御部１３は、空いているＰＢＸ側インタフェース１２を検索し、着信可能であればＰＢＸ側インタフェース１２へ着信イベントを発行し、発信と同様に、主制御部１３は、内部スイッチ制御部１５、ＳＩＰ制御部１４、ＲＴＰ制御部１６へ指示を出し、ＶｏＩＰ−ＧＷ１内のＳＩＰの呼制御およびＲＴＰ通信のスイッチングを制御する。
【００３３】
次に、ＳＩＰサーバー単位のチャネル管理の処理について、図７を用いて説明する。この例では、ＰＢＸ側のチャネル合計が６０Ｃｈであり、ＳＩＰサーバー単位のチャネル利用態様は、図４に示したＳＩＰ単位のチャネル管理テーブル１３２に記述された条件、すなわち、ＳＩＰサーバーＡの最低保証チャネル数“３０”および最大通信チャネル数“４０”、ＳＩＰサーバーＢの最低保証チャネル数“１０”および最大通信チャネル数“２０”、ＳＩＰサーバーＣの最低保証チャネル数“１０”および最大通信チャネル数“１０”であるとし、現在、ＳＩＰサーバーＡの使用チャネル数“３０Ｃｈ”、ＳＩＰサーバーＢの使用チャネル数“２０Ｃｈ”、ＳＩＰサーバーＣの使用チャネル数“５Ｃｈ”とする。
【００３４】
今、ＰＢＸ３Ａ側から着番号（０５０−ＡＢＣＤ−ＸＸＸＸ）の発信信号を受信したＰＢＸ側インタフェース１２Ａは、ＰＢＸからの発信（着番号：０５０−ＡＢＣＤ−ＸＸＸＸ）を、内部スイッチ制御部１５を経由して主制御部１３へ通知する（Ｓ２２）。主制御部１３は、ＰＢＸからの着番号から事業者番号（ＡＢＣＤ）抽出し、この事業者番号を用いてＳＩＰ振り分けテーブル１３１を参照してＳＩＰサーバーＡのルートを選択し、チャネル管理テーブル１３２を参照してＳＩＰサーバーＡへのルートが使用可能であるか否かを判定する。この場合、ＳＩＰサーバーＡへのルートの接続を許容するとＳＩＰサーバーＣへの最低保証チャネル数“１０”を守れなくなるので、受信した接続要求を拒否することを決定し（Ｓ２３）、切断指示をＰＢＸ側インタフェース１２Ａへ通知する（Ｓ２４）。切断指示を受信したＰＢＸ側インタフェース１２ＡはＰＢＸ３Ａへ切断信号を送信する（Ｓ２５）。
【００３５】
また、例えば、ＳＩＰサーバーＢおよびＳＩＰサーバーＣに向けた使用チャネル数に余裕がある場合であっても、ＳＩＰサーバーＡに向けた接続要求が、最大通信チャネル数“４０”を超えたときには、同様に、ＳＩＰサーバーＡに向けた接続要求に対して接続を拒否する。このようにして、各ＳＩＰサーバー単位の最低保証チャネル数を維持することができる。
【００３６】
以上のように、主制御部１３は、ＳＩＰサーバー単位のチャネル管理テーブル１３２に示されるＳＩＰサーバールート毎の最低保証チャネルおよび最大通信チャネル数を管理し、各ＳＩＰサーバーに向けたルート毎のＱＯＳ（Ｑｕａｌｉｔｙ  ｏｆ  Ｓｅｒｖｉｃｅ）管理が可能であり、ＰＢＸ側インタフェースチャネルを有効に利用できる。
【００３７】
次に、インターネット側からの着信に対して着番号を変換して他のＳＩＰサーバーへ転送する場合の処理の流れを、図７を用いて説明する。インターネット７のＳＩＰサーバーＡ７１Ａから着番号（０５０−ＡＢＣＤ−１２３４）に向けたＳＩＰメッセージ（ＩＮＶＩＴＥ）を受信した（Ｓ３１）、インターネット側インタフェース１１Ａは、内部スイッチ制御部１５を経由してＳＩＰ制御部１４Ａに着信する（Ｓ３２）。ＳＩＰ制御部１４Ａは、着信を制御部１３へ通知する（Ｓ３３）。主制御部１３は、着番号中の業者番号（ＡＢＣＤ）を用いて着番号変換テーブル１３３を参照して着番号０５０−ＡＢＣＤ−１２３４を０５０−ＥＦＧＨ−１２３４へ変換して（Ｓ３４）、ＳＩＰサーバーＢへ向けた発信要求をＳＩＰ制御部１４Ｂへ送信する（Ｓ３５）。
【００３８】
ＳＩＰ制御部１４Ｂは、着番０５０−ＥＦＧＨ−１２３４のＳＩＰメッセージ（ＩＮＶＩＴＥ）を、内部スイッチ制御部１５を経由してインターネット側インタフェース１１ＢからＳＩＰサーバーＢ７１Ｂへ送信する（Ｓ３６）。インターネット側インタフェース１１Ｂで受信したＳＩＰサーバーＢ７１Ｂからの接続完了（２００  ＯＫ）のＳＩＰメッセージは、内部スイッチ制御部１５を経由してＳＩＰ制御部１４Ｂへ通知される（Ｓ３７）。ＳＩＰ制御部１４Ｂは、接続完了を主制御部１３へ通知する（Ｓ３８）。主制御部１３は、接続完了をＳＩＰ制御部１４Ａへ通知する（Ｓ３９）。
【００３９】
ＳＩＰ制御部１４Ａは、ＳＩＰメッセージにて接続完了（２００ＯＫ）を内部スイッチ制御部１５を経由してインターネット側インタフェース１１ＡからＳＩＰサーバー７１Ａに通知する（Ｓ４０）。主制御部１３は、スイッチング指示を内部スイッチ制御部１４４へ指示し（Ｓ４１）、内部スイッチ制御部１５は、インターネット側インタフェース１１Ａとインターネット側インタフェース１１Ｂとの間のスイッチングデータを設定する（Ｓ４２）。このように内部スイッチが設定されると、ＳＩＰサーバー７１ＡからのＲＴＰ音声データは、インターネット側インタフェース１１Ａ、内部スイッチ制御部１５、インターネット側インタフェース１１Ｂを経由してＳＩＰサーバー７１Ｂへ送信される（Ｓ４３）。同様に、ＳＩＰサーバー７１ＢからのＲＴＰ音声データは、インターネット側インタフェース１１Ｂ、内部スイッチ制御部１５、インターネット側インタフェース１１Ａを経由してＳＩＰサーバー７１Ａへ送信される（Ｓ４４）。
【００４０】
このように、この実施例では、インターネット側からの着信時に、着番号変換テーブル１３３を参照することにより、異なるＳＩＰサーバールートへの変換（転送）発信が可能であり、ＶｏＩＰ−ＧＷとしての機能だけではなく、異なるＳＩＰサーバー間通信におけるＡＬＧ（ａｐｐｌｉｃａｔｉｏｎ  ｌａｙｅｒ  ｇａｔｅｗａｙ）として機能させることも可能である。
【００４１】
なお、上記説明では、通信プロトコルとしてＳＩＰを用いているが、ＭＧＣＰ、Ｈ３２３などを含む他の通信プロトコルでも同様の変換が可能である。
【図面の簡単な説明】
【００４２】
【図１】本発明にかかるマルチＩＳＰ対応接続時のシステム構成を説明する図
【図２】本発明にかかるＶｏＩＰ−ＧＥ装置の構成を説明する図。
【図３】本発明のＶｏＩＰ―ＧＷ装置の主制御部に設けるＳＩＰルート振り分けテーブルの構成を説明する図。
【図４】本発明のＶｏＩＰ―ＧＷ装置の主制御部に設けるＳＩＰサーバ単位のチャネル管理テーブルの構成を説明する図。
【図５】本発明のＶｏＩＰ―ＧＷ装置の主制御部に設ける着番号変換テーブルの構成を説明する図。
【図６】本発明におけるＳＩＰルート振り分けの処理を説明するシーケンス図。
【図７】本発明におけるＳＩＰサーバー単位のチャネル管理の処理を説明するシーケンス図。
【図８】本発明における着番号変換処理を説明するシーケンス図。
【図９】従来のマルチＩＳＰ対応接続時のシステム構成を説明する図
【符号の説明】
【００４３】
１…ＶｏＩＰ―ＧＷ装置
１１…インターネット側インタフェース
１２…ＰＢＸ側インタフェース
１３…主制御部
１３１…ＳＩＰ振り分けテーブル
１３２…チャネル管理テーブル
１３３…着番号変換テーブル
１４…ＳＩＰ制御部
１５…内部スイッチ制御部
１６…ＲＴＰ制御部
３…ＰＢＸ／ＰＳＴＮ
５…メディアコンバータ
５１…物理回線
７…インターネット
７１…ＩＳＰ  ＳＩＰサーバー
９…ＶｏＩＰ―ＧＷ装置
【図１】
2006229550.tif 000003
【図２】
2006229550.tif 000004
【図３】
2006229550.tif 000005
【図４】
2006229550.tif 000006
【図５】
2006229550.tif 000007
【図６】
2006229550.tif 000008
【図７】
2006229550.tif 000009
【図８】
2006229550.tif 000010
【図９】
2006229550.tif 000011